(57)【特許請求の範囲】
【請求項１】
貯湯ユニット（１）と、ヒートポンプユニット（２）と、リモコン（Ｒ）とを備えたヒートポンプ式給湯機において、上記リモコン（Ｒ）に、昼間分と深夜分とに分けて、１日の消費電力量を表示し、かつ、上記１日の消費電力量を複数日にわたって積算した累積消費電力量を積算日数とともに表示することを特徴とするヒートポンプ式給湯機。
【請求項２】
上記積算日数及び上記累積消費電力量をゼロにリセットするリセット機能と、上記積算日数が表示可能な桁数を越えたらこの積算日数をゼロに戻す機能と、上記累積消費電力量が表示可能な桁数を越えたらこの累積消費電力量をゼロに戻す機能とを有することを特徴とする請求項１のヒートポンプ式給湯機。
【発明の詳細な説明】
【０００１】
【発明の属する技術分野】
この発明は、ヒートポンプ式給湯機に関するものである。
【０００２】
【従来の技術】
ヒートポンプ式給湯機には、従来から、貯湯ユニットと、ヒートポンプユニットと、リモコンとを備えたものがある。すなわち、貯湯ユニットは貯湯タンクを備え、この貯湯タンクにヒートポンプユニットにて加熱された温湯が貯められる。また、現状の電力料金制度は深夜の電力料金単価が昼間に比べて安価に設定されているので、この運転は、低額である深夜時間帯（例えば、２３時から７時までの時間帯）に行い、ランニングコストの低減を図るようにする場合が多くなっている。すなわち、深夜のうちに一日に使用する温湯を貯湯タンクに貯めるものである。
【０００３】
しかしながら、一日の使用量が多ければ、深夜時間帯の沸上運転で必要湯量を沸上げることができない場合がある。このような場合には、その不足分を昼間において追加運転（追い焚き運転）を行うことによって補充していた。また、逆に一日の使用量が少なければ、全深夜時間帯を使用することなく、深夜時間帯開始時刻から所定時間だけずらせて沸上運転を開始して、深夜時間帯終了時刻に沸上運転を終了することができた。そして、これらの運転（制御）はこのヒートポンプ式給湯機の制御部にて制御され、自動的に行われていた。
【０００４】
【発明が解決しようとする課題】
ところで、従来において、電力量の確認は、屋外等に設置されたメータボックス内の電力計にて行うことができた。しかしながら、この場合の電力量はこの家庭で使用した全電力量であり、ヒートポンプ式給湯機のみの電力量を確認することはできなかった。従って、沸上運転の電力量と、追い焚き運転の電力量とを分けて確認することは全く不可能であった。このため近年地球環境保護の観点からも省エネ運転を行うのが好ましいと認識されつつあるものの、無駄な運転（例えば、余分な湯を昼間の運転にて沸かす運転等）が行われていても、このことを認識できず、そのままの状態での運転が継続することになっていた。この結果、ランニングコスト高となって、省エネ化を達成できない場合があった。
【０００５】
この発明は、上記従来の欠点を解決するためになされたものであって、その目的は、ユーザの省エネ意識を高めることができ、そのため地球環境保護に優れたヒートポンプ式給湯機を提供することにある。
【０００６】
【課題を解決するための手段】
そこで請求項１のヒートポンプ式給湯機は、貯湯ユニット１と、ヒートポンプユニット２と、リモコンＲとを備えたヒートポンプ式給湯機において、上記リモコンＲに、昼間分と深夜分とに分けて、１日の消費電力量を表示し、かつ、上記１日の消費電力量を複数日にわたって積算した累積消費電力量を積算日数とともに表示することを特徴としている。
【０００７】
請求項１のヒートポンプ式給湯機では、深夜分（深夜時間帯）の消費電力量と昼間分の消費電力量とがリモコンＲに表示されるので、深夜時間帯での消費電力量と昼間での消費電力量とをユーザが簡単に確認（把握）することができる。これにより、一日の消費電力量を深夜分と昼間分とに分けて確認することができる。さらに、複数日の累積消費電力量が、夜間分と昼間分とに分けて、その積算日数とともに表示されるので、例えば、１ヶ月間の累積消費電力量を、深夜時間帯と昼間とに分けて、簡単に確認（把握）することができる。すなわち、ユーザは、１日或いは複数日にわたる消費電力量を昼間分と深夜分とに分けて確認することができ、これによって、電力料金が低い深夜を有効に利用して、電力料金が高い昼間運転を減少させる努力を行うようになる。
【０００８】
請求項２のヒートポンプ式給湯機は、上記積算日数及び上記累積消費電力量をゼロにリセットするリセット機能と、上記積算日数が表示可能な桁数を越えたらこの積算日数をゼロに戻す機能と、上記累積消費電力量が表示可能な桁数を越えたらこの累積消費電力量をゼロに戻す機能とを有することを特徴としている。
【０００９】
上記請求項２のヒートポンプ式給湯機では、リセット機能にて、積算日数及び累積消費電力量表示を初期の状態に戻すことができるので、このリセット機能を作動させることによって、累積消費電力量の積算をそのリセット日から開始させることができる。すなわち、ユーザの希望の日に、積算日数及び累積消費電力量表示をゼロに戻すことができ、累積消費電力量の積算開始日を自由に設定することができる。また、積算日数や累積消費電力量は表示可能な桁数を越えれば、ユーザがリセット機能を動作させることなく、自動的にゼロになるので、データ量の過大化を抑制でき、制御構成を簡素化できる。
【００１０】
【発明の実施の形態】
次に、この発明のヒートポンプ式給湯機の具体的な実施の形態について、図面を参照しつつ詳細に説明する。図１はヒートポンプ式給湯機の簡略図を示し、このヒートポンプ式給湯機は、貯湯ユニット１とヒートポンプユニット（熱源ユニット）２とを備え、貯湯ユニット１の水（温湯）をヒートポンプユニット２にて加熱して沸上げるものである。貯湯ユニット１は図示省略の貯湯タンクを備え、貯湯タンクに循環路３が連結されている。そして、この循環路３に、熱交換路４と、図示省略の水循環用ポンプとが介設されている。
【００１１】
また、ヒートポンプユニット２は冷媒回路を備え、この冷媒回路は、圧縮機と、水熱交換器と、電動膨張弁（減圧機構）と、空気熱交換器（蒸発器）とを順に接続して構成される。そして、圧縮機を駆動させると共に、循環路３の水循環用ポンプを駆動（作動）させることによって、貯湯タンクの下部の未加熱水が循環路３へ流出し、これが循環路３の熱交換路４を流通する。そのとき、上記水熱交換器にて加熱される熱交換路４によってこの未加熱水が加熱され（沸上げられ）、貯湯タンクの上部に返流される。このような動作を継続して行うことによって、貯湯タンクに高温の温湯を貯湯することができる。そして、この貯湯タンクに貯湯された温湯が図示省略の台所や浴室等に供給される。
【００１２】
上記貯湯タンクに湯を貯める運転には、近年の現状の電力料金制度を考慮して、電力料金が昼間よりも安価に設定された深夜時間帯（例えば、２３時から７時の間の８時間）における貯湯タンクの沸上運転と、一日の必要湯量がこの沸上運転で不足するときに深夜時間帯外の昼間の追加運転とがあり、これら運転を行って上記一日の必要湯量を確保するものである。すなわち、一日に使用する量の沸上運転を、できる限り深夜時間帯の運転のみで終了させて、この深夜時間帯の運転で不足する場合に、電力料金が高く設定されている昼間の追加運転（追い焚き運転）を行うものである。
【００１３】
ところで、台所及び浴室にはそれぞれリモコンＲ、Ｒが設けられている。そして、リモコンＲには、図２に示すように、複数の運転設定ボタン５・・が設けられており、各運転ボタン５・・が押されることによって、その各指示信号が図示省略の制御手段に入力され、この制御手段からの信号によって、その指示された運転を行わせるように貯湯ユニット１やヒートポンプユニット２を駆動させる。なお、この制御手段は例えばマイクロコンピュータを用いて構成することができる。
【００１４】
すなわち、リモコン（台所側のリモコン）Ｒには液晶画面等からなる表示画面６が設けられ、この表示画面６は、給湯温度を表示する温度表示部７と、貯湯タンクの残湯量を表示する残湯量表示部８と、設定湯量（貯湯タンクの沸上量を決定する湯量レベル）を表示するための湯量レベル表示部９と、時刻表示部１０等を有する。また、上記運転設定ボタン５として、ふろ自動ボタン５ａ、メニューボタン５ｂ、確定ボタン５ｃ、下降ボタン５ｄ、上昇ボタン５ｅ等が設けられている。
【００１５】
このリモコンＲにおける主な運転設定ボタン５の機能について説明すれば、ふろ自動ボタン５ａを押せば、浴槽に湯を供給する風呂湯張り運転が自動的に行われる。また、図示省略しているが、このリモコンＲのふたカバー開状態で各種の運転設定ボタン５が露出し、この運転設定ボタン５を押せば、給湯温度や設定湯量や時刻等を変更することができる。なお、残湯量表示部８は、この場合貯湯タンクを簡略化して図示し、残湯量がこの図から把握できるようにしている。さらに、設定湯量（貯湯タンクに貯める湯量）として、「連続」、「多め」、「標準」、「少なめ」の４段階に分けている。なお、貯湯タンクから出湯される湯は高温であり、この高温の湯に低温の水が混合されて、適温となってシャワー等に供給される。そのため、この給湯温度は、高温の湯と低温の水との混合比をミキシングバルブ等にて調整することによって、設定された温度（例えば、温度表示部７に示されている４０℃）の湯がシャワー等から給湯される。なお、浴室側のリモコンＲも台所側のリモコンＲとほぼ同様に機能を有するので、その説明は省略する。
【００１６】
そして、リモコン（台所側のリモコン）Ｒは、昼間分と深夜分とに分けて、１日の消費電力量を表示し、かつ、上記１日の消費電力量を複数日にわたって積算した累積消費電力量を積算日数とともに表示することができる。ここで、深夜分とは、深夜時間帯（例えば、２３時から次の日の午前７時まで）の運転分であり、昼間分とは、昼間（深夜時間帯外）の運転分である。そのため、図４のように、Ａ−１の深夜時間帯とＢ−１の昼間とを足したもの、Ａ−２の深夜時間帯とＢ−２の昼間とを足したものを１日と呼ぶ。
【００１７】
この場合、上記消費電力量を表示するには、まず、メニューボタン５ｂを押すことによって、上記表示画面６を図３の初期状態を示す初期画面１５ａとする。この初期画面１５ａは、電力量（消費電力量）が表示される表示部１６ａを有する。この状態から、下降ボタン５ｄを押すことによって、次の第２画面１５ｂとなって、前日の昼間の電力量（消費電力量）がその表示部１６ｂに表示される。次に、下降ボタン５ｄを押すことによって、第３画面１５ｃとなって、前日の深夜の電力量（消費電力量）が表示部１６ｃに表示される。この場合、図４に示すＡ−１の深夜時間帯とＢ−１の昼間とを本日とした場合に、Ａ−２の深夜時間帯は前日（前回）の深夜時間帯となり、Ｂ−２の昼間が前日（前回）の昼間となる。
【００１８】
次に、第３画面１５ｃの状態から下降ボタン５ｄを押すことによって、第４画面１５ｄとなって、前日までの昼間の累積消費電力量が表示部１６ｄに表示されると共に、その第４画面１５ｄの積算日数表示部１７ｄに、その積算日数が表示される。さらに、この第４画面１５ｄの状態から下降ボタン５ｄを押すことによって、第５画面１５ｅとなって、前日までの深夜の累積消費電力量が表示部１６ｅに表示されると共に、その積算日数表示部１７ｅに、その積算日数が表示される。なお、累積消費電力量の積算開始日は、後述するように、リセット機能等にてリセットされた日である。
【００１９】
上記のように、初期画面１５ａから順次、下降ボタン５ｄを押して行けば、初期画面１５ａ→第２画面１５ｂ→第３画面１５ｃ→第４画面１５ｄ→第５画面１５ｅ→第６画面１５ｆと変化するが、逆に、この第６画面１５ｆから順次、上昇ボタン５ｅを押して行けば、第６画面１５ｆ→第５画面１５ｅ→第４画面１５ｄ→第３画面１５ｃ→第２画面１５ｂと変化する。また、初期画面１５ａから上昇ボタン５ｅを押せば、第６画面１５ｆに戻り、第６画面１５ｆから下降ボタン５ｄを押せば、第２画面１５ｂに戻り、第２画面１５ｂから上降ボタンｅを押せば、通常モードに戻る。
【００２０】
ところで、上記第４画面１５ｄと第５画面１５ｅとに表示される上記積算日数及び累積消費電力量は、リセット機能にてゼロにリセットすることができる。すなわち、第５画面１５ｅの状態から下降ボタン５ｄを押すことによって、第６画面（リセット画面）１５ｆとなって、積算日数表示部１７ｆの積算日数及び表示部１６ｆの累積消費電力量がそれぞれ点滅する。そして、このリセット画面１５ｆで、確定ボタン５ｃを押せば、深夜分と昼間分の積算日数及び累積消費電力量がゼロとなってリセットされて、表示画面１５は給湯温度等が表示される図２の通常モードに戻る。
【００２１】
さらに、このリモコンＲでは、積算日数をゼロに戻す機能にて、上記積算日数が表示可能な桁数を越えたらゼロに戻すと共に、累積消費電力量をゼロに戻す機能にて、上記累積消費電力量が表示可能な桁数を越えたらゼロに戻すように設定されている。すなわち、積算日数が、例えば９９日を越えれば、その積算日数をゼロに戻し、累積消費電力量が、例えば９９９ｋＷｈを越えれば、その累積消費電力量をゼロに戻すように設定される。なお、積算日数をゼロに戻す機能と、累積消費電力量をゼロに戻す機能とは、連動する機能であっても、連動しない機能であってもよい。ここで、連動するとは、例えば、積算日数が表示可能な桁数を越えてこの積算日数をゼロに戻したときに、累積消費電力量が表示可能な桁数を越えていなくても累積消費電力量をゼロに戻したり、逆に、累積消費電力量が表示可能な桁数を越えてこの累積消費電力量をゼロに戻したときに、積算日数が表示可能な桁数を越えていなくても積算日数をゼロに戻したりすることである。
【００２２】
このように上記装置においては、ユーザは、１日或いは複数日にわたる消費電力量を昼間と深夜とに分けて確認することができる。すなわち、ユーザは、昼間の消費電力量と、深夜の消費電力量とを把握することができ、電力料金が低い深夜の運転を有効に利用して、電力料金が高い昼間の運転を減少させる努力を行うことになる。このため、ユーザの省エネ意識が高まって、このヒートポンプ式給湯機は地球環境保護に優れた給湯機を構成することができる。
【００２３】
また、積算日数及び上記累積消費電力量をリセット機能にて、ユーザの希望の日に、ゼロに戻すことができ、累積消費電力量の積算開始日及び積算終了日を自由に設定することができる。すなわち、その年の暦に合わせて、累積消費電力量の積算開始日を月初めとしたり、あるいは累積消費電力量の積算終了日をその月の月末や２〜３月後の月末としたりすることができ、ユーザの希望する日からの積算日数の累積消費電力量を把握することができる。
【００２４】
さらに、積算日数が所定の桁数を越えれば、その積算日数がリセットされ、累積消費電力量が所定の桁数を越えればその累積消費電力量がリセットされる。従って、積算日数及び累積消費電力量の表示は所定の桁数を越えないので、これらを表示する表示画面の面積を小さくできると共に、データ量が過大となるのを防止して演算処理の簡略化を図ることができる。これにより、リモコンＲのコンパクト化を達成することができる。
【００２５】
以上にこの発明の具体的な実施の形態について説明したが、この発明は上記形態に限定されるものではなく、この発明の範囲内で種々変更して実施することができる。例えば、上記実施の形態では、深夜とは、２３時から次の日の午前７時までをいい、他の時間帯を昼間としているが、これは、現状の電力料金制度に対応させたものであり、この制度が変更されれば、この変更に応じて深夜と昼間との時間帯を変更してもよい。また、前日の昼間の消費電力量、前日の深夜の消費電力量、昼間の累積消費電力量、深夜の累積消費電力量を表示する場合、上記実施の形態では、運転設定ボタン５を押すことによって順次表示していたが、運転設定ボタン５を押すことなく所定時間（例えば、２〜３秒）毎に順次自動的に表示して行くものであっても、一度にこれらのデータを全て表示するものであっても、２、３種類ずつ表示するものであってもよい。
【００２６】
【発明の効果】
請求項１のヒートポンプ式給湯機によれば、ユーザは、１日或いは複数日にわたる消費電力量を昼間と深夜とにわけて確認することができ、これによって、電力料金が低い深夜を有効に利用して、電力料金が高い昼間運転を減少させる努力を行うようになる。すなわち、ユーザは無駄のない機器の運転に努めるようになり、ユーザの省エネ意識を高めることができ、地球環境保護に優れたヒートポンプ式給湯機を提供することができる。また、深夜の消費電力量を増加させるような省エネ運転を設定しているにもかかわらず、昼間の消費電力量が多かったり、各消費電力量が異常に多かったりすれば、このヒートポンプ式給湯機の運転が正常に行われていないと判断することができる。これにより、正常な運転制御を行わせるように改善することができて、異常状態での運転を回避することができ、ヒートポンプ式給湯機の長寿命化を図ることができる。
【００２７】
請求項２のヒートポンプ式給湯機によれば、ユーザの希望の日に、ゼロに戻すことができ、累積消費電力量の積算開始日を自由に設定することができる。これにより、ユーザの希望する日からの積算日数の累積消費電力量を把握することができる。また、積算日数や累積消費電力量は表示可能な桁数を越えれば、ユーザがリセット機能を動作させることなく、自動的にゼロになるので、データ量の過大化を抑制でき、制御構成を簡素化できる。
【図面の簡単な説明】
【図１】この発明のヒートポンプ式給湯機の実施の形態を示す簡略図である。
【図２】上記ヒートポンプ式給湯機のリモコンの説明図である。
【図３】上記ヒートポンプ式給湯機のリモコンの表示画面の説明図である。
【図４】上記ヒートポンプ式給湯機における昼間と深夜との説明図である。
【符号の説明】
１  貯湯ユニット
２  ヒートポンプユニット
Ｒ  リモコン
【図１】
0003842124.tif 000002
【図２】
0003842124.tif 000003
【図３】
0003842124.tif 000004
【図４】
0003842124.tif 000005